(57)【要約】【課題】遊技機の棚板装置において、棚板上における球の重力作用による転動状態を多様化して、遊技者が遊技に対して飽きないようにすることである。【解決手段】始動入賞口（入賞口）８と、該始動入賞口８の上方に配置されて、受け入れた球を一時的に保留させてから前記始動入賞口８に向けて放出する球保留装置とを備える遊技機の棚板装置であって、前記球保留装置は、受け入れた球Ｂを前端から放出する棚板Ｐと、該棚板Ｐの後端に沿って近接して横方向に配置される回転体Ｒ１　と、該回転体Ｒ１　を駆動する駆動モータＭとを備え、前記回転体Ｒ１　は、周方向の一部に球保留凹部（球保留部）２５が設けられ、その回転により前記棚板Ｐと球保留凹部２５との間で球を保留する保留位置と、両者の間で球を保留しない非保留位置とに状態変化する構成とする。【選択図】　　　　図５
2004097378.tif 000002
【特許請求の範囲】
【請求項１】
入賞口と、該入賞口の上方に配置されて、受け入れた球を一時的に保留させてから前記入賞口に向けて放出する球保留装置とを備える遊技機の棚板装置であって、
前記球保留装置は、受け入れた球を前端から放出する棚板と、該棚板の後端に沿って近接して横方向に配置される回転体と、該回転体を駆動する駆動手段とを備え、
前記回転体は、周方向の一部に球保留部が設けられ、その回転により前記棚板と球保留部との間で球を保留する保留位置と、両者の間で球を保留しない非保留位置とに状態変化することを特徴とする遊技機の棚板装置。
【請求項２】
前記回転体は、軸方向の中間部が膨出した略紡錘形であり、複数の回転体が棚板の後端縁に沿って横方向に同軸状に配設されていることを特徴とする請求項１に記載の遊技機の棚板装置。
【請求項３】
前記回転体の球保留部は、膨出した前記中間部の周方向の一部に設けられた凹部であることを特徴とする請求項２に記載の遊技機の棚板装置。
【請求項４】
前記入賞口は、図柄を変動させる始動入賞口であり、球保留装置の後方には、前記始動入賞口に球が入賞することにより図柄を変動表示する図柄表示装置が設けられ、該図柄表示装置に特定図柄が表示されると遊技者に特典が付与される構成であることを特徴とする請求項１ないし３のいずれかに記載の遊技機の棚板装置。
【発明の詳細な説明】
【０００１】
【発明の属する技術分野】
本発明は、入賞口と、この入賞口の上方に配置されて、受け入れた球を一時的に保留させてから前記入賞口に向けて放出する球保留装置とを備える遊技機の棚板装置に関するものである。
【０００２】
【従来の技術】
始動口を備えた従来のパチンコ機においては、図柄を変動表示する表示体の前面において受け入れた球を遊ばせて（主として球を左右方向に転動させて）から前方から落下させて、その下方に配設された始動口に向けて放出するいわゆる棚板（ステージ）が配置されているものが多い。
【０００３】
上記棚板の形状は、例えば板状、波状等の種々あって、棚板上に転動してきた球は、その転動の勢い（速度）や入球方向の相違により左右の揺動の程度が異なる。また、棚板上を転動した球は、転動の勢いが弱くなる（球速度が遅くなる）と棚板の前端縁の異なる位置から放出され、棚板の左右方向の中央部から放出された球は、前記始動口に入賞する確率が高くなる。しかし、棚板上での揺動態様はステージの形状や傾きにより定まってしまい、単純なために長時間遊技をしていると、遊技者は遊技に対して飽きてしまう問題があった。
【０００４】
また、磁石を内蔵するドラムの一部が棚板上面から突出するようにして、棚板の奥行方向（幅方向）の中央部にドラムが軸心を横方向にして配設されて、ワープ出口から棚板上に放出された球のうちドラムの背面側に達した球を吸着して、棚板の前面側に球を強制移送させて、棚板上における球の転動経路を強制変更させるものもある（例えば、特許文献１参照）。しかし、この構成では、重力を利用した球の自然な転動によるものではなくて、磁石を内蔵するドラムによって、棚板上の球の転動経路を強制変更しているために、その変更形態は、遊技者にとって一目して分かり、遊技の面白さに欠けると同時に、棚板の上面が複雑な構成となる問題があった。
【０００５】
【特許文献１】
特開２００１−７０５３７の第９頁、図１９
【０００６】
【発明が解決しようとする課題】
本発明の課題は、棚板上における球の重力作用による転動状態を多様化して、遊技者が遊技に対して飽きないようにすることである。
【０００７】
【課題を解決するための手段】
上記の課題を解決するための請求項１の発明は、入賞口と、該入賞口の上方に配置されて、受け入れた球を一時的に保留させてから前記入賞口に向けて放出する球保留装置とを備える遊技機の棚板装置であって、前記球保留装置は、受け入れた球を前端から放出する棚板と、該棚板の後端に沿って近接して横方向に配置される回転体と、該回転体を駆動する駆動手段とを備え、前記回転体は、周方向の一部に球保留部が設けられ、その回転により前記棚板と球保留部との間で球を保留する保留位置と、両者の間で球を保留しない非保留位置とに状態変化することを特徴としている。
【０００８】
請求項１の発明によれば、回転体の回転位相と棚板上に球に受入れられるタイミングにより、回転体の球保留部に球が保留されたり、又は保留されなかったりする。即ち、回転体の球保留部が前面を向いている状態で、棚板上を転動する球が球保留部の部分に達すると、回転体の球保留部に球が保留される確率が高くなり、回転体の回転位相と棚板上に受け入れられる球のタイミングが上記以外の場合には、回転体の球保留部に球は保留されない。そして、回転体の球保留部に一時的に保留された球は、回転体の回転により球保留部から放出された後に、棚板上で多様な態様で転動してから、その前端縁から放出されて、その一部が入賞口に入賞する。このように、遊技者から見て、球保留部を備えた回転体と、その前方に配設された棚板との組み合わせによって、棚板上における球の転動態様が多様化されるため、遊技者により飽きられることがない。
【０００９】
また、請求項２の発明は、請求項１の発明において、前記回転体は、軸方向の中間部が膨出した略紡錘形であり、複数の回転体が棚板の後端縁に沿って横方向に同軸状に配設されていることを特徴としている。
【００１０】
請求項２の発明によれば、請求項１の発明の上記作用効果に加えて、回転体が略紡錘状であるために、棚板上における球の転動領域に広狭が生じ、棚板に受け入れられた球の転動・保留・放出の態様が一層多くなって、遊技の面白さが一層増す。
【００１１】
また、請求項３の発明は、請求項２の発明において、前記回転体の球保留部は、膨出した前記中間部の周方向の一部に設けられた凹部であることを特徴としている。
【００１２】
請求項３の発明によれば、請求項２に記載の上記作用効果に加えて、回転体が略紡錘状になっていて、回転体の配設状態で棚板が狭くなっている回転体の膨出した中間部に球保留用の凹部が設けられている。このため、球保留部である凹部が棚板の転動面に達すると、棚板上における球の転動領域が広くなって、棚板上を転動する球が回転体の凹部に入り込み易くなると共に、これ以外の場合には、転動領域が狭くなる。これにより、棚板上における球の転動形態が大きく変化する。
【００１３】
また、請求項４の発明は、請求項１ないし３のいずれかの発明において、前記入賞口は、図柄を変動させる始動入賞口であり、球保留装置の後方には、前記始動入賞口に球が入賞することにより図柄を変動表示する図柄表示装置が設けられ、該図柄表示装置に特定図柄が表示されると遊技者に特典が付与される構成であることを特徴としている。
【００１４】
請求項４の発明によれば、請求項１ないし３のいずれかの発明の上記作用効果に加えて、棚板上における球の転動態様の変化と、その後方に設けられた図柄表示装置の図柄変動とが連動するために、遊技の面白さが一層高まる。
【００１５】
【発明の実施の形態】
以下、実施形態を挙げて、本発明について更に詳細に説明する。図１は、本発明に係る棚板装置Ｃ１　を備えたパチンコ機の正面図であり、図２は、図１のＸ−Ｘ線断面図である。図１及び図２において、遊技盤１には、外側及び内側の各球案内レール２，３が取付けらて、各球案内レール２，３で囲まれる領域が遊技領域４となっている。外側及び内側の各球案内レール２，３が内外で重なって球発射通路５を形成しており、球発射装置（図示せず）から発射された遊技球は、前記球発射通路５を通って前記遊技領域４に放出される。
【００１６】
また、遊技領域４の略中央部には、センタ役物装置Ａが配置され、その高さ方向の中央よりもやや上方の両側方には、ゲート口６が配置されている。センタ役物装置Ａは、特別図柄表示装置７と、その前方の空間部Ｓの底面を形成する棚板装置Ｃ１　とで構成され、前記センタ役物装置Ａの直下には、特別図柄表示装置７を作動させる始動入賞口８が配置され、該始動入賞口８の直下には、大入賞口９が配置されている。大入賞口９の左右両側には、一対の第１サイド入賞口１１と、同じく一対の第２サイド入賞口１２とが斜方向に沿って配置されている。また、センタ役物装置Ａの前記空間部Ｓの底面には、棚板装置Ｃ１　が配置されていて、前記棚板装置Ｃ１　の一方の側と、特別図柄表示装置７の両斜上方との３箇所には、それぞれ風車１３が配置されている。
【００１７】
また，特別図柄表示装置７は、始動入賞口８に球が入賞することにより図柄変動を開始して、所定時間変動した後に停止する。そして、停止したときの複数の図柄が特定の表示態様となって開始される「大当り遊技」においては、前記大入賞口９の蓋体９ａが手前側に倒れて開いた大入賞口（図示せず）が所定時間（例えば、３０秒）、或いは所定個数（例えば、１０個）の入賞があるまで、前記大入賞口は開放された状態を維持する。そして、前記蓋体９ａの起立により大入賞口が閉じられた後においても、該大入賞口を通って受け止められた球（入賞球）が内部の特別入賞口（図示せず）を通過すると、再度、蓋体９ａが手前側に倒れることにより、前記大入賞口が開放されて、最高１６回（ラウンド）だけ前記「大当り遊技」が繰り返される。なお、図１において、１４は、いずれの入賞口にも入賞しなかった球を回収するアウト口を示す。
【００１８】
引き続いて、本発明に係る棚板装置Ｃ１　の部分について説明する。図３は、図２の棚板装置Ｃ１　の部分の拡大図であり、図４は、棚板装置Ｃ１　の部分の平面図であり、図５及び図６は、それぞれ回転体Ｒ１　の位相が異なる状態における棚板装置Ｃ１　の斜視図である。この棚板装置Ｃ１　を構成する球保留装置Ｄは、特別図柄表示装置７の前方の空間部Ｓの底面を構成する棚板Ｐと、該棚板Ｐの後端縁に沿って水平に配置されて、棚板Ｐの上を転動する球Ｂを一時的に保留させる回転体Ｒ１　と、該回転体Ｒ１　を駆動させる駆動モータＭとで構成される。
【００１９】
また、図４ないし図６に示されるように、棚板Ｐは、その長手方向の中央部に対して対称な形状になっていて、その前端縁２１は、直線状となっているが、その後端縁２２は、略紡錘形の回転体Ｒ１　の形状に対応してわん曲している。即ち、棚板Ｐの後端縁２２は、長手方向の中央部に対して対称な一対のわん曲線で構成されている。また、棚板Ｐの上面である球の転動面２３は、長手方向に対しては中央部に向けて漸次低くなるように、また幅方向（奥行方向）に対しては手前側に向けて漸次低くなるように傾斜した傾斜面となっていて、長手方向の中央部には、当該部分から手前側に放出される球が、その直下の始動入賞口８に入賞し易いような緩やかな凹部２４が形成されている。なお、棚板Ｐの長手方向の両端部には、後述のワープ出口３６が臨んでいる。
【００２０】
また、図４ないし図６に示されるように、前記球保留装置Ｄを構成する回転体Ｒ１　は、左右一対の略紡錘形の回転体単体Ｒ１１が直列状に配置されて一体となって構成される。一対の回転体単体Ｒ１１は、いずれも軸方向の中央部が膨出した略紡錘形をなしていて、その内端部の細径部で一体となっていて、各回転体単体Ｒ１１の中央の膨出部における周方向の一部には、球Ｂを一時的に保留させ得る保留凹部２５が形成されている。この保留凹部２５は、回転中の回転体Ｒ１　が棚板Ｐの転動面２３に臨んで、その内部に球Ｂが部分的に受け入れられても、回転体Ｒ１　の回転によりそのまま一緒に回転することなく、回転体Ｒ１　の回転途中で脱出し得る形状になっている。即ち、図３及び図５に示されるように、保留凹部２５は、回転体単体Ｒ１１の軸方向の中央よりも僅かに外端に偏した部分に設けられていて、その正面形状は略楕円状であると共に、その中央部の最大深さは、球Ｂの外径の略半分であって、横断面視における中心角は、略９０°である。そして、保留凹部２５の深さに関しては、その外側から内側に向けては、徐々に深くなっているが、その内側形成端においては、急激に深くなっていて、回転体Ｒ１　の軸心とほぼ直交する方向に沿った保留面２５ａが形成されており、球Ｂが保留凹部２５に部分収容された状態で、その保留面２５ａ（図５参照）に当接することにより、球Ｂの保留を確実にしている。
【００２１】
また、回転体Ｒ１　の上記形状に対応して、棚板Ｐの後端縁２２は、回転体単体Ｒ１１の外形に対応して、２つの緩やかな凹弧が横方向に連続した曲線形状になっていると共に、略紡錘形の一対の回転体単体Ｒ１１から成る回転体Ｒ１　が、上記曲線形状をした棚板Ｐの後端縁２２に近接して臨み得るように、棚板Ｐの背面側は、図５に示されるように、横断面において円弧状に欠落されている。これにより、図４に示されるように、回転体Ｒ１　は、棚板Ｐの後端縁２２に近接して、遊技盤１の横方向に水平に配置される。回転体Ｒ１　の両端縁は、それぞれ軸部２６が一体に設けられて、各軸部２６は、それぞれ軸受２７で支持されている。また、一方の軸部２６の軸端には、歯車２８が取付けられ、駆動モータＭの駆動軸２９に取付けられた歯車３１と前記歯車２８とが噛合されて、回転体Ｒ１　は、駆動モータＭにより右側面視において時計方向に回転させられる。即ち、棚板Ｐの上面の転動面２３を基準にすると、この転動面２３において、回転体Ｒ１　の外周面は、斜下方から斜上方に向けて移動することになる。
【００２２】
また、図１及び図２に示されるように、特別図柄表示装置７の略上半部の周囲は、遊技盤１の盤面から突出した状態で、装飾部材３２で覆われて装飾されていると共に、この装飾部材３２の両下端面に接続して、それぞれ左右一対の縦部材３３が配設されている。そして、遊技盤１の盤面から突出した装飾部材３２の左右両端の外側面には、ワープ入口３４がそれぞれ形成されている。また、前記した左右一対の各縦部材３３の内部には、ワープ通路３５が形成されていて、各縦部材３３の下端部の内側面であって、前記棚板Ｐの転動面２３よりも僅かに高い位置には、それぞれワープ出口３６が形成されている。また、図４に示されているように、ワープ出口３６の奥行方向の形成位置は、この棚板Ｐの転動面２３に放出された球Ｂが、そのまま直進した場合には、回転体単体Ｒ１１の外周面に衝突する位置となっており、これにより、回転体Ｒ１　の回転位相と、ワープ出口３６からの球Ｂの放出とのタイミングによって、回転体単体Ｒ１１の外周面の保留凹部２５が棚板Ｐの転動面２３に臨んでいる場合には、棚板Ｐの転動面２３を転動する球Ｂが回転体単体Ｒ１１の保留凹部２５に部分的に入り込んで、一時的に保留させられることになる。なお、図２及び図３において、３７は、始動入賞口８の開口に設けられた一対の可動片３８を開閉させるためのソレノイドを示し、３９は、ソレノイド３７のロッドの直線運動を可動片３８の円弧運動に変換する変換機構を示し、４０は、始動入賞口８に入賞した入賞球の通過を検出するセンサを示す。
【００２３】
そして、回転体Ｒ１　は、駆動モータＭによって上記方向（右側面視で時計方向）に連続回転しており、この状態で、遊技盤１の盤面上を流下する球Ｂが左右のワープ入口３４のいずれかに流入して、ワープ通路３５を通ってワープ出口３６から棚板Ｐの転動面２３に放出されると、前記球Ｂは、所定の初速度を有しているために、棚板Ｐの他端に向けて転動する。そして、図５及び図７に示されるように、ワープ出口３６からの球Ｂの放出時において、回転体Ｒ１　の保留凹部２５が棚板Ｐの転動面２３に臨んでいる位置（保留位置）においては、棚板Ｐ上における球Ｂの転動領域が広くなって、転動面２３に放出された球Ｂは、棚板Ｐの他端に向かう途中において回転体単体Ｒ１１の保留凹部２５に部分的に入り込む確率が高い。この保留凹部２５に部分的に入り込んだ球Ｂは、その内側の保留面２５ａに当接するために、その転動が阻止されて一時的に保留させられる〔図７（イ）参照〕。
【００２４】
次に、回転体Ｒ１　が更に回転して、保留凹部２５の周方向の形成端と棚板Ｐの転動面２３とがほぼ合致した状態に至る〔図７（ロ）参照〕。これを超えて回転体Ｒ１　が更に回転すると、上述したように、保留凹部２５の深さが球Ｂの外径に比較して浅いために、保留凹部２５に部分収容されていた球Ｂは、この保留凹部２５から棚板Ｐの転動面２３に排出され〔図７（ハ）参照〕、そのまま棚板Ｐの長手方向（横方向）及び奥行方向の各傾斜によって転動を開始させられ、棚板Ｐの長手方向の中央に設けられた凹部２４に達する。球Ｂは、凹部２４に近い位置において転動を開始していて、その速度が小さいために、棚板Ｐの中央の凹部２４に入り込んだ球Ｂは、これを超えることができず、そのまま凹部２４の底面の傾斜に沿って僅かに転動して、当該部分の前端縁２１から遊技盤１の盤面上に落下放出される〔図７（ニ）参照〕。そして、棚板Ｐの長手方向の中央部の直下には、始動入賞口８が配置されているために、前記球Ｂは、始動入賞口８に入賞される確率が高くなる。
【００２５】
なお、ワープ出口３６からの球Ｂの放出時において、回転体Ｒ１　の保留凹部２５が棚板Ｐの転動面２３に臨んでいる場合においても、ワープ出口３６から転動面２３に放出されて、回転体単体Ｒ１１の保留凹部２５に入り込んだ球Ｂであっても、その流入角度、転動速度等の相違によって、そのまま保留凹部２５の底面に衝突した後に保留凹部２５から排出されるものもあり、或いは保留凹部２５に入り込まない場合もあり得る。このように、棚板Ｐの転動面２３に対する球Ｂの流入と、回転体Ｒ１　の回転位相とが同一であっても、ワープ出口３６から放出される球Ｂの放出角度、放出速度等は、逐一異なるために、球Ｂの転動形態は種々異なる。
【００２６】
一方、図６及び図８に示されるように、ワープ出口３６からの球Ｂの放出時において、回転体Ｒ１　の保留凹部２５が棚板Ｐの転動面２３に臨んでいない位置（非保留位置）においては、ワープ出口３６の転動面２３に放出された球Ｂは、図８（イ）に示されるように、棚板Ｐ上における球Ｂの転動領域が狭くなって、棚板Ｐの他端に向かう途中において回転体単体Ｒ１１の外周面に当接する確率が高く、これにより、その転動経路が変えられて、ほぼそのままの速度で棚板Ｐの他端に向けて転動し続ける。このように、回転体単体Ｒ１１の外周面に当接した球Ｂは、初速度に近い転動速度を有しているために、棚板Ｐの長手方向の中央部の凹部２４を超えて、棚板Ｐの他端に近い部分まで達して転動速度を失う〔図８（ロ）〕。その後、転動速度を失った球Ｂは、棚板Ｐの長手方向で反転し、棚板Ｐ上において左右の揺動を繰り返しながら、最終的に中央の凹部２４の前端縁２１、或いは凹部２４の前端縁２１以外の前端縁から遊技盤の盤面上に落下放出される〔図８（ハ）〕。このように、球Ｂは、棚板Ｐ上において左右の揺動を繰り返しながら、その前端縁２１から落下放出されるため、棚板Ｐ上で上記経路を経た球Ｂが始動入賞口８に入賞する確率は、前記保留凹部２５に部分収容された場合より低い。
【００２７】
また、上記非保留位置においても、ワープ出口３６から放出された球Ｂが棚板Ｐの中央の凹部２４を通過して、棚板Ｐの他端に近い部分に達した時点において、回転体Ｒ１　の保留凹部２５が僅かに棚板Ｐの転動面２３に臨み、棚板Ｐの他端に近い部分に達した球Ｂが、転動面２３に臨み始めた保留凹部２５に当接することにより、転動経路を変えられることもあり得る。このように、非保留位置においても、転動面２３に球Ｂが放出された場合でも、球Ｂの転動経路は、回転体Ｒ１　との関係において種々存在する。
【００２８】
なお、上記した回転体Ｒ１　を備えた棚板装置Ｃ１　において、一対の回転体単体Ｒ１１に設ける各保留凹部２５の周方向の位相をずらしたり、或いは一つの回転体単体Ｒ１１に周方向に沿って二つの保留凹部２５を設けることも可能であり、これにより、棚板Ｐの転動面２３上における球Ｂの転動形態が一層多様化される。
【００２９】
更に、図９に示される棚板装置Ｃ２　を構成する回転体Ｒ２　は、その外周面に保留板部４１が設けられた構成であって、棚板Ｐには、前記保留板部４１を通過させるための挿通溝４２が形成されている。この実施形態では、前記保留板部４１は、回転体Ｒ２　の軸直角方向に対して該回転体Ｒ２　の軸方向の中央の側に傾斜していて、棚板Ｐの転動面２３を転動する球Ｂを急激に停止させない構成にしてある。このように、棚板Ｐの転動面２３に対する球Ｂの放出と、回転体Ｒ２　の回転位相とのタイミングによって、回転体Ｒ２　の保留板部４１に球Ｂが当接することにより、この球Ｂは、保留板部４１の部分で一時的に保留されて、球Ｂの転動経路が種々変更される。
【００３０】
このように、本発明においては、棚板Ｐの転動面２３を転動する球Ｂを一時的に保留させて、球Ｂの転動経路を変更させるために回転体の外周面に形成される球保留部は、凹部に限られず、凸部でも可能である。
【００３１】
また、入賞口装置の内部に棚板装置と二種類の入賞口とが配設されていて、この棚板装置によって、遊技者に有利な特定入賞口と一般入賞口とに分けて入賞する構成の遊技機において、前記棚板装置の部分に本発明を実施することも可能である。
【００３２】
【発明の効果】
本発明に棚板装置を構成する回転体は、その周方向の一部に球保留部が設けられ、その回転により前記棚板と球保留部との間で球を保留する保留位置と、両者の間で球を保留しない非保留位置とに状態変化するので、球保留部を備えた回転体と、その前方に配設された棚板との組み合わせによって、棚板上における球の転動態様が多様化されるため、遊技者により飽きられることがない。
【図面の簡単な説明】
【図１】本発明に係る棚板装置Ｃ１　を備えたパチンコ機の正面図である。
【図２】図１のＸ−Ｘ線断面図である。
【図３】図２の棚板装置Ｃ１　の部分の拡大図である。
【図４】棚板装置Ｃ１　の部分の平面図である。
【図５】球Ｂの保留位置における棚板装置Ｃ１　の斜視図である。
【図６】球Ｂの非保留位置における棚板装置Ｃ１　の斜視図である。
【図７】（イ）〜（ニ）は、球Ｂが保留されて始動入賞口８に入賞される経路を示す作用説明図である。
【図８】（イ）〜（ニ）は、球Ｂが保留されないで、始動入賞口８に入賞されない経路を示す作用説明図である。
【図９】保留板部４１を備えた回転体Ｒ２　を有する棚板装置Ｃ２　の斜視図である。
【符号の説明】
Ｂ：球
Ｃ１，Ｃ２　：棚板装置
Ｄ：球保留装置
Ｍ：駆動モータ（駆動手段）
Ｐ：棚板
Ｒ１，Ｒ２　：回転体
Ｒ１１：回転体単体
７：特別図柄表示装置（図柄表示装置）
８：始動入賞口（入賞口）
２５：保留凹部
４１：保留板部
【図１】
2004097378.tif 000003
【図２】
2004097378.tif 000004
【図３】
2004097378.tif 000005
【図４】
2004097378.tif 000006
【図５】
2004097378.tif 000007
【図６】
2004097378.tif 000008
【図７】
2004097378.tif 000009
【図８】
2004097378.tif 000010
【図９】
2004097378.tif 000011